(57)【要約】【課題】消費電力を低減することが可能な車載機器を提供する。【解決手段】車載機器１００は、表示部１１を有するポータブル機器１０を着脱可能な構成である。また、車載機器１００は、表示部１３１と、ポータブル機器１０が装着されていること又はポータブル機器１０が取り外されていることを検出し、ポータブル機器１０が装着されていることを検出している場合に、表示部１３１を消灯させる制御部１４０とを有する構成としている。【選択図】図８
2009248935.tif 000002
【特許請求の範囲】
【請求項１】
第１表示手段を有する携帯機器を着脱可能な車載機器であって、
第２表示手段と、
前記携帯機器が装着されていること又は前記携帯機器が取り外されていることを検出する検出手段と、
前記検出手段が、前記携帯機器が装着されていることを検出している場合に、前記第２表示手段を消灯させる制御手段と
を備えることを特徴とする車載機器。
【請求項２】
さらに、操作指示を入力する操作手段を備え、
前記制御手段は、前記操作手段により入力された操作指示が、前記第２表示手段の代わりに前記第１表示手段で表示されるべき情報に関する指示であるか否かを判別し、前記第１表示手段で表示されるべき情報に関する指示を前記携帯機器に送信し、
前記携帯機器は、当該指示に応じた情報を前記第１表示手段に表示させることを特徴とする請求項１記載の車載機器。
【請求項３】
前記第２表示手段の代わりに前記第１表示手段で表示されるべき情報は、前記車載機器が有するオーディオ機能に関連するオーディオ情報であり、前記第１表示手段は現在表示されている情報に当該オーディオ情報を重ねて、表示することを特徴とする請求項２記載の車載機器。
【請求項４】
前記検出手段が、前記携帯機器が取り外されたことを検出している場合に、前記第２表示手段が前記第１表示手段で表示されるべき情報を表示することを特徴とする請求項２記載の車載機器。
【発明の詳細な説明】
【技術分野】
【０００１】
本発明は、携帯機器を着脱可能な車載機器に関する。
【背景技術】
【０００２】
従来のナビゲーション装置として、ＰＮＤ（パーソナルナビゲーションデバイス）と呼ばれる、簡易的ではあるが可搬性を持った小型のポータブルナビゲーション装置（以下、ポータブルナビと呼ぶ）と、車両のダッシュボードに形成された凹部（ＤＩＮ開口）内に収容し固定される車載用のナビゲーション装置とが広く一般的に知られている。車載用のナビゲーション装置は、車両からの車速等の情報により高精度な案内が可能であり、さらにはオーディオ装置を備えたものも提案されている。
【０００３】
近年、ポータブルナビの可搬性と、車載用ナビゲーション装置の高精度な案内性能とを兼ね備えたナビゲーション装置が検討されている。
【０００４】
特許文献１〜４は、車両に搭載された車載機器からナビゲーション部を着脱可能とする構成が開示されている。車載機器からナビゲーション部を取り外すことで、ナビゲーション部をポータブルナビとして単体で使用することが可能となる。
【０００５】
また、特許文献５は、ナビゲーション装置を車両から取り外して、歩行時にもナビゲーション装置を使用することが可能となっている。また、車両搭載時には、カーナビモードとなり、車両から取り外した時にはマンナビモードを実行することが開示されている。
【０００６】
また、車両のダッシュボードに形成された凹部（ＤＩＮ開口）内に固定される本体部と、当該本体部に着脱可能なＰＮＤとで構成される車載用ナビゲーション装置が知られている。ＰＮＤは、液晶等で構成されたメイン表示部を有し、本体部は、ラジオ周波数や記憶媒体のトラック番号等を表示するサブ表示部を備えている。ＰＮＤが本体部に装着されている場合に、ユーザは、メイン表示部及びサブ表示部に表示される情報を閲覧することができる。
【特許文献１】特開平８−３１８７９２号公報
【特許文献２】特開２００２−３２８０２６号公報
【特許文献３】特表２００５−５２４５７０号公報
【特許文献４】特開２００１−２３９８９５号公報
【特許文献５】特開２００３−１６６８４８号公報
【発明の開示】
【発明が解決しようとする課題】
【０００７】
しかしながら、上記ＰＮＤ及び本体部を備える車載用ナビゲーション装置では、サブ表示部及びメイン表示部で同一の情報（例えば、ラジオ周波数やトラック番号など）が表示される場合、多くのユーザは、メイン表示部を閲覧するため、サブ表示部で同一の情報を表示する必要はない。また、サブ表示部及びメイン表示部で同一の情報が表示される場合、情報の表示タイミングを互いに同期させる必要がある。
【０００８】
本発明は、上記事情に鑑みてなされたものであり、消費電力を低減することが可能な車載機器を提供することを目的とする。
【課題を解決するための手段】
【０００９】
かかる目的を達成するために、本発明の車載機器は、第１表示手段を有する携帯機器を着脱可能な車載機器であって、第２表示手段と、前記携帯機器が装着されていること又は前記携帯機器が取り外されていることを検出する検出手段と、前記検出手段が、前記携帯機器が装着されていることを検出している場合に、前記第２表示手段を消灯させる制御手段とを有する構成としている。
【００１０】
かかる構成によれば、第１表示手段を有する携帯機器が車載機器に装着されると、車載機器が備える第２表示手段が消灯するので、消費電力を低減することができる。
【発明の効果】
【００１１】
本発明によれば、車載機器の消費電力を低減することができる。
【発明を実施するための最良の形態】
【００１２】
以下、添付図面を参照しながら本発明の最良の実施の形態を説明する。
【００１３】
図１は、本実施の形態に係る車載機器を含む車載システムの外観形状を示す図である。
【００１４】
図１に示すように車載システム１は、車両に搭載される車載機器１００と、ナビゲーション機能を備えたポータブル機器１０（携帯機器）とから構成される。ポータブル機器１０は、車載機器１００の前面部１２０に取り付けて使用でき、さらに車載機器１００から取り外して状態で単独で使用することができる。
【００１５】
車載機器１００は、ラジオ放送の再生機能や、ＣＤ（Compact Disk）及びＤＶＤ（Digital Versatile Disk）等の記録媒体に書き込まれた音楽データ及び動画像データの再生機能を有している。また、車載機器１００は、記録媒体の再生部や記録媒体の挿排口を有する本体部１１０と、表示部１３１や操作部１３２を有する前面部１２０とを備えている。ポータブル機器１０は、目的地までの誘導経路を検索し、地図上に検索した誘導経路を重ねて表示するナビゲーションの機能を備えている。
【００１６】
図２は、ポータブル機器１０を取り外した車載機器１００の前面部１２０を示している。車載機器１００の前面部１２０には、ポータブル機器１０を装着するための凹部が形成された着脱部１７０が設けられている。この着脱部１７０には、車載機器１００とポータブル機器１０とを電気的に接続するためのコネクタ１５０と、ポータブル機器１０を前面部１２０に固定するためのロック部１６１及びリブ１６２と、ポータブル機器１０の一端をリブ１６２にガイドするスロープ１６３と、ポータブル機器１０を背面方向から前面方向に押し出す押出部１６４とが設けられている。前面部１２０に設けられた取り外しボタン１６０を操作すると、ロック機構１６１が解除され、前面部１２０からポータブル機器１０が取り外し可能となる。
【００１７】
図３は、前面部１２０を本体部１１０に対して傾斜させ、挿排口１８０を露出させた状態を示す図である。
【００１８】
不図示の駆動機構によって図３に示すスライダー１８１を駆動させることで、前面部１２０を本体部１１０に対してチルトさせることができる。チルト動作によって、本体部１１０に設けられた挿排口１８０を露出させ、記録媒体の挿排を行うことができる。車載機器１００の前面部１２０には、操作ボタン（具体的には、図６に示すチルト／イジェクトボタン１３２ａ）が設けられており、このボタンの操作に応じたチルト角度に設定することができる。
【００１９】
図４は、車載システム１の車両への搭載例を示す図である。
【００２０】
車載システム１は、例えば図４に示すように、運転席５２と助手席５１とのほぼ中央のダッシュボード部分に配置される。なお、図示していないが、後述するＧＰＳ情報受信部１３３のＧＰＳアンテナは、ダッシュボード上に配置されるか、又はフロントガラスの車室側に貼り付けられる。
【００２１】
図５は、車載システム１の概略構成を示すブロック図である。
【００２２】
車載機器１００とポータブル機器１０とは、コネクタで電気的に接続される。車載機器１００側には、コネクタ１５０が設けられており、ポータブル機器１０には、コネクタ３０が設けられている。これらのコネクタ１５０、３０を互いに接続することで、車載機器１００とポータブル機器１０との間で各種信号が送受信され、車載システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００２３】
車載機器１００は、表示部１３１（第２表示手段）、操作部１３２（操作手段）、ＧＰＳ情報受信部１３３、ラジオ受信部１３４、再生部１３５、音声調整部１３６、メモリ１３７、マイク１３８、外部音声／映像入力部１３９、制御部１４０（検出手段、制御手段）、及びコネクタ１５０を備えている。車載機器１００は、エンジンキーがＡｃｃ又はＩＧの位置にあるときに、車両側のバッテリから電力が供給されて動作する。
【００２４】
表示部１３１は、液晶パネルやバックライトを備え、受信放送周波数、再生楽曲トラックＮｏ、及び再生楽曲名等を表示する。
【００２５】
操作部１３２は、車載機器１００の動作モードを切り替える操作指示や、切り替えた各種モードでの操作指示を入力する。操作部１３２は、図６に示すように、前面部１２０をチルトさせるためのチルト／イジェクトボタン１３２ａ、再生対象のラジオの周波数帯域又は再生対象の記録媒体のトラック番号を切り替えるためのバンド／チューンボタン１３２ｂ、表示部１３１に表示されるタイトル等を切り替えるためのＴＥＸＴボタン１３２ｃ、表示部１１に表示される画像をナビゲーション画像及びＤＶＤの動画像のいずれかに切り替える又は音量を調整するためのＳＣＲＥＥＮボタン１３２ｄ、再生対象のソースの切替又は車載機器１００の電源のオン／オフを行うためのＳＯＵＲＣＥ／ＰＷＲボタン１３２ｅ、音質を制御するためのＣＯＮＴＲＯＬボタン１３２ｆ、及び音声をカットする又は表示部１１の表示を点灯／消灯するためのＭＵＴＥ／ＳＣＲＥＥＮＯＦＦボタン１３２ｇを備えている。
【００２６】
図５に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介してポータブル機器１０のナビゲーション部１９に出力され、ＧＰＳ信号に基づいてポータブル機器１０が収納された車載機器１００が搭載される車両の位置が割り出される。
【００２７】
ラジオ受信部１３４は、アンテナとチューナ部とを有しており、ＡＭ放送、ＦＭ放送、多重放送等の放送波を受信して、音声信号の出力、多重データの受信、復調を行い、復調信号を制御部１４０に出力する。
【００２８】
再生部１３５は、ＣＤやＤＶＤ等の記録媒体に記録された音声データや動画像データを再生し、再生信号を制御部１４０に出力する。
【００２９】
なお、ラジオ受信部１３４から出力される復調信号を制御部１４０を介さずに、後述する音声調整部１３６に出力するようにしてもよい。
【００３０】
音声調整部１３６は、ラジオ受信部１３４で受信、復調された音声信号や、再生部１３５で再生された音声信号に、音量調整や音質調整等の信号処理をしてスピーカ１４５に出力する。
【００３１】
メモリ１３７は、データの読み出しと書き込みとが可能なＲＡＭ（Ｒａｎｄｏｍ  Ａｃｃｅｓｓ  Ｍｅｍｏｒｙ）で構成することができ、制御のために必要な情報を一時的に記憶しておく。マイク１３８は、ハンズフリー通話を行うためのものであって、車室内のユーザの音声を取り込む。
【００３２】
外部音声／映像入力部１３９は、ＵＳＢメモリや、携帯型オーディオ装置等の外部機器との接続端子を備え、外部機器からの音声信号やデータを入力して制御部１４０に送り、制御部１４０からの制御信号、音声信号やデータ等を接続した外部機器に出力する。
【００３３】
制御部１４０は、操作部１３２の操作に従って、ラジオ受信部１３４、再生部１３５、及び音声調整部部１３６などを制御する。また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声信号を、コネクタ１５０を介してポータブル機器１０に出力する。
【００３４】
なお、マイク１３８で入力された音声信号を、制御部１４０を介さずに、コネクタ１５０を介してポータブル機器１０に出力してもよい。
【００３５】
また、制御部１４０は、ポータブル機器１０の表示部１１に表示される、各種モードのメニュー画像に対する操作信号をポータブル機器１０の制御部２０から取得し、ラジオ受信部１３４や再生部１３５の制御を行う。
【００３６】
また、制御部１４０には、車両に搭載されたバッテリからの電源が入力されている。制御部１４０は、ポータブル機器１０が接続されている場合に、バッテリの電源をポータブル機器１０に出力する。また、制御部１４０には、車両から車速パルスとイルミ電源信号が入力される。制御部１４０は、入力した車速パルスをポータブル機器１０の制御部２０に転送する。なお、車載機器１００に車速パルスが入力されない構成であってもよい。
【００３７】
次に、ポータブル機器１０について説明する。ポータブル機器１０は、表示部１１（第１表示手段）、操作部１２、ＧＰＳ情報受信部１３、スピーカ１４、蓄電池１５、充電回路１６、無線通信送受信部１７、メモリ１８、ナビゲーション部１９、制御部２０、及びコネクタ３０を備えている。
【００３８】
表示部１１は、液晶パネルとバックライトとを備え、ナビゲーション部１９で生成された地図情報や目的地までの誘導経路情報、並びに車載機器１００から転送された受信放送周波数、再生楽曲トラックＮｏ、及び再生楽曲名等を表示することができる。
【００３９】
なお、表示部１１、１３１には、液晶パネル以外のフラットパネルディスプレイ、例えば、有機ＥＬディスプレイパネル、プラズマディスプレイパネル、冷陰極フラットパネルディスプレイ等を用いることができる。
【００４０】
操作部１２は、タッチパネルや、ポータブル機器１０の電源をオン、オフするための電源ボタン５５（図７Ａ参照）を含む。タッチパネルは、例えば、表示部１１の表示画面の上に配置されるものであり、指や専用のペンによりタッチパネルが接触されると、その接触された位置が検知されて、入力操作の有無が判別できるようになっている。電源ボタン５５については後述する。
【００４１】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自機位置が割り出される。なお、車載装置１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いてポータブル機器１０が収納された車載機器１００が搭載される車両の位置を特定し、ポータブル機器１０単独で使用する場合には、ＧＰＳ情報受信部１３で受信したＧＰＳ信号を用いて自機位置を特定する。
【００４２】
スピーカ１４は、ナビゲーション部１９からの音声情報を出力するためのものであり、ポータブル機器１０が車載機器１００から取り外された状態、つまり単体で使用されるときに、音声情報を出力する。
【００４３】
蓄電池１５は、ポータブル機器１０が車載機器１００から取り外された状態では、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６はＵＳＢスロット５７（図７Ａ参照）を介して接続端末から電力の供給を受けて、蓄電池１５を充電することができる。
【００４４】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００４５】
メモリ１８は、例えば、読み出しと書き込みとが可能なＲＡＭであり、各制御のために読み出された情報を一時的に記憶しておく。
【００４６】
ナビゲーション部１９は、ナビゲーションのために利用される地図情報を記憶したＳＤ（Ｓｅｃｕｒｅ  Ｄｉｇｉｔａｌ）カードや内蔵メモリから取得し、記憶する地図情報記憶部を備え、ＧＰＳ情報受信部１３３、又は１３からのＧＰＳ信号によって現在位置情報を割り出し、ナビゲーションのための地図画像を作成する。作成した地図画像は、表示部１１で表示させることができる。また、車載機器１００とポータブル機器１０とが接続されている場合には、車両から車速パルスを取得して、ポータブル機器１０が収納された車載機器１００が搭載される車両の位置検出の精度を高めることができる。なお、地図情報はポータブル機器１０内に保持していてもよい。
【００４７】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。また、制御部２０は、車載機器１００のマイク１３８で入力した音声信号を車載機器１００の制御部１４０から取得し、取得した音声信号に応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。また、表示部１１に表示されたメニュー画面やコンテンツ画面に対する操作信号をコネクタ３０を介して車載機器１００の制御部１４０に出力する。制御部１４０は、ポータブル機器１０の制御部２０から送られた操作信号に応じて、ラジオ受信部１３４や再生部１３５を制御する。
【００４８】
図７（Ａ）に、ポータブル機器１０の正面図、上面図、底面図、左側面図、及び右側面図を示し、図７（Ｂ）に、ポータブル機器１０の背面図を示す。
【００４９】
ポータブル機器１０の上面には、ポータブル機器の電源をオン、オフさせる電源ボタン５５が設けられており、ポータブル機器１０の底面には、ＳＤメモリカードスロット５６、ＵＳＢスロット５７、及びイヤホンジャック５８が設けられている。また、ポータブル機器１０の左側面には、図２のリブ１６２を収容する凹部５９が設けられており、ポータブル機器１０の背面には、車載機器１００との電気的に接続するためのコネクタ３０が設けられている。さらに、ポータブル機器１０の底面及び背面には、図２の押出部１６４と係合する係合部６０が設けられている。
【００５０】
地図情報が記憶されたＳＤカード又は内蔵メモリをそれぞれＳＤメモリカードスロット５６又はＵＳＢスロット５７に差し込むことで、制御部２０は、ＳＤカード又は内蔵メモリから地図情報を読み出し、ナビゲーション部１９に地図情報を出力する。
【００５１】
ポータブル機器１０の電源は、ポータブル機器１０を車載機器１００に装着したときには、車載機器１００からの制御によってオン又はオフされる。また、車載機器１００から取り外してポータブル機器１０を単体で使用する場合には、電源ボタン５５のオン又はオフの操作に基づいて電源が操作される。
【００５２】
図８は、車載機器１００の制御部１４０及びポータブル機器１０の制御部２０が実行する処理を示すフローチャートである。
【００５３】
まず、車載機器１００の制御部１４０は、ポータブル機器１０のコネクタ３０がコネクタ１５０に装着されているか否かを判別する（ステップＳ１）。具体的には、制御部１４０は、ポータブル機器１０の制御部２０からの接続信号を検出すると、ポータブル機器１０のコネクタ３０がコネクタ１５０に装着されていると判別する。
【００５４】
ステップＳ１でＮＯの場合（即ち、ポータブル機器１０のコネクタ３０がコネクタ１５０に装着されていない場合）には、制御部１４０は、操作部１３２からの操作信号に応じた処理（例えば、音声調整部１３６への音声調整の指示の出力、再生部１３５への再生指示の出力、表示部１３１への表示内容となる情報の出力、又は表示部１３１への表示内容の切替指示の出力等）を実行し（ステップＳ２）、ステップＳ１に戻る。このように、ポータブル機器１０のコネクタ３０がコネクタ１５０に装着されていない場合には、表示部１３１は、後述するオーディオ情報が表示される。
【００５５】
ステップＳ１でＹＥＳの場合（即ち、ポータブル機器１０のコネクタ３０がコネクタ１５０に装着されている場合）には、制御部１４０は、表示部１３１に消灯の指示を出力し（ステップＳ３）、表示部１３１の表示パネル及びバックライトを消灯する。
【００５６】
次いで、制御部１４０は、操作部１３２から表示部１１で表示されるべき情報に関する操作信号を受信したか否かを判別する（ステップＳ４）。ここで、表示部１１で表示されるべき情報に関する操作信号には、表示部１１で表示されるナビゲーション画像及びオーディオ画像（即ち、再生対象のラジオの周波数帯域又は再生対象の記録媒体のトラック番号等を切り替えるための画像）を選択的に切り替える信号、オーディオ情報の変更を指示する信号、及び表示部１１を消灯する信号等が含まれる。上記オーディオ情報には、ボリューム、トラック番号、ラジオ周波数、イコライザー、ノンフェダー（即ち、サブウーハーの音量レベル）、ローパスフィルター、及びソースボリュームコントロールの設定が含まれる。
【００５７】
尚、表示部１１で表示されるナビゲーション画像及びオーディオ画像の選択的な切り替えは、ＳＣＲＥＥＮボタン１３２ｄの押下に応じて制御部２０により実行される。
【００５８】
また、表示部１１で表示されるべき情報に関する操作信号に、オーディオ情報の変更を指示する信号が含まれる理由は、ポータブル機器１０のコネクタ３０がコネクタ１５０に装着されている状態で、バンド／チューンボタン１３２ｂ、ＳＣＲＥＥＮボタン１３２ｄ、ＳＯＵＲＣＥ／ＰＷＲボタン１３２ｅ、及びＭＵＴＥ／ＳＣＲＥＥＮＯＦＦボタン１３２ｇのいずれかが操作されると、図９に示すように、その変更の操作に応じた情報１１ａが表示部１１に表示されるナビゲーション画像の一部に重ねて表示されるためである。尚、情報１１ａは表示部１１に所定時間（例えば、１０秒間）表示されて、自動的に消滅する。
【００５９】
ステップＳ４でＹＥＳの場合（即ち、制御部１４０が操作部１３２から表示部１１で表示されるべき情報に関する操作信号を受信した場合）には、制御部１４０は、表示部１１で表示されるべき情報に関する操作信号を制御部２０へ送信する（ステップＳ５）。一方、ステップＳ４でＮＯの場合（即ち、制御部１４０が操作部１３２から表示部１１で表示されるべき情報に関連しない操作信号を受信した場合）には、操作部１３２からの操作信号に応じた処理（例えば、再生部１３５への再生指示の出力、又は不図示の駆動機構への前面部１２０のチルト指示の出力等）を実行し（ステップＳ６）、本処理を終了する。
【００６０】
一方、ポータブル機器１０の制御部２０は、ポータブル機器１０のコネクタ３０がコネクタ１５０に装着されているか否かを問わず、操作部１２からの操作信号に応じた処理（例えば、表示部１１への表示内容となる情報の出力、又は表示部１１への表示内容の切替指示の出力等）を実行する（ステップＳ１１）。
【００６１】
次いで、制御部２０は、表示部１１で表示されるべき情報に関する操作信号を制御部１４０から受信し（ステップＳ１２）、表示部１１で表示されるべき情報に関する操作信号に応じた処理を実行して（ステップＳ１３）、本処理を終了する。
【００６２】
ステップＳ１２，Ｓ１３において、例えば、表示部１１で表示されるナビゲーション画像及びオーディオ画像を選択的に切り替える信号が受信された場合には、制御部２０は、表示部１１で表示される画像の切替を実行する。また、ステップＳ１２，Ｓ１３において、例えば、オーディオ情報の変更を指示する信号が受信された場合には、制御部２０は、その変更の操作に応じた情報１１ａが重ねられたナビゲーション画像を表示部１１に表示させる。
【００６３】
以上詳細に説明したように、本実施の形態によれば、制御部１４０が、ポータブル機器１０が装着されていることを検出している場合に、表示部１３１を消灯させるので（ステップＳ１でＹＥＳ、ステップＳ２）、車載機器１００の消費電力を低減することができる。また、サブ表示部及びメイン表示部で同一の情報が表示されることがなくなり、両表示部で表示される情報の表示タイミングを互いに同期させる処理が不要になる。
【００６４】
また、制御部１４０は、操作部１３２により入力された操作指示が、表示部１３１の代わりに表示部１１で表示されるべき情報に関する指示であるか否かを判別し、当該表示部１１で表示されるべき情報に関する指示をポータブル機器１０に送信する（ステップＳ４でＹＥＳ→ステップＳ５）。そして、ポータブル機器１０は、当該指示に応じた情報を表示部１１に表示させる（ステップＳ１２→ステップＳ１３）。よって、表示部１３１の代わりに表示部１１で情報が表示されるので、ユーザが情報を閲覧する状況に応じて、情報の表示場所を変更することができる。
【００６５】
さらに、表示部１３１の代わりに表示部１１で表示されるべき情報は、車載機器１００が有するオーディオ機能に関連するオーディオ情報であり、表示部１１は現在表示されている情報（例えば、図９のナビゲーション画像）に当該オーディオ情報を重ねて、表示するので、ユーザは操作されたオーディオ機能に対応するオーディオ情報を表示部１１で確認することができる。
【００６６】
また、制御部１４０は、ポータブル機器１０が取り外されたことを検出している場合に、表示部１３１が、表示部１１で表示されるべき情報（例えば、オーディオ情報）を表示するので、ユーザが情報を閲覧する状況に応じて、情報の表示場所を変更することができる。
【００６７】
車載機器１００の機能を実現するためのソフトウェアのプログラムが記録されている記録媒体を、車載機器１００に供給し、制御部１４０が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。
【００６８】
また、車載機器１００の制御部１４０が、それぞれ車載機器１００の機能を実現するためのソフトウェアのプログラムを実行することによっても、上記実施の形態と同様の効果を奏する。
【００６９】
尚、本発明は、上述した実施の形態に限定されるものではなく、その要旨を逸脱しない範囲内で種々変形して実施することが可能である。
【図面の簡単な説明】
【００７０】
【図１】本実施の形態に係る車載機器を含む車載システムの外観形状を示す図である。
【図２】ポータブル機器を取り外した車載機器の前面部を示す図である。
【図３】前面部を本体部に対して傾斜させ、挿排口を露出させた状態を示す図である。
【図４】車載システムの車両への搭載例を示す図である。
【図５】車載システムの概略構成を示すブロック図である。
【図６】車載機器の前面部の構成を示す図である。
【図７】図７（Ａ）は、ポータブル機器の正面図、上面図、底面図、左側面図、及び右側面図であり、図７（Ｂ）は、ポータブル機器の背面図である。
【図８】車載機器の制御部及びポータブル機器の制御部が実行する処理を示すフローチャートである。
【図９】ポータブル機器の表示部に表示される情報が変化する状態を示す図である。
【符号の説明】
【００７１】
１  車載システム
１０  ポータブル機器
１１，１３１  表示部
１２，１３２  操作部
１３，１３３  ＧＰＳ情報受信部
１４，１４５  スピーカ
１５  蓄電池
１６  充電回路
１７  無線通信送受信部
１８，１３７  メモリ
１９  ナビゲーション部
２０，１４０  制御部
３０，１５０  コネクタ
１１０  本体部
１２０  前面部
１３４  ラジオ受信部１３４
１３５  再生部
１３６  音声調整部
１３９  外部音声／映像入力部１３９
【図１】
2009248935.tif 000003
【図２】
2009248935.tif 000004
【図３】
2009248935.tif 000005
【図４】
2009248935.tif 000006
【図５】
2009248935.tif 000007
【図６】
2009248935.tif 000008
【図７】
2009248935.tif 000009
【図８】
2009248935.tif 000010
【図９】
2009248935.tif 000011